(57)【特許請求の範囲】
【請求項１】
洋風便器本体に固定される本体と、該本体に対して揺動可能に設けられ、使用者が着座可能な便座と、該便座に対して揺動可能に設けられ、該便座を隠蔽する便蓋とを備えた便座装置において、
前記便座は、使用者の臀部を載置する部分からそれぞれ後方に突出する支持部と、前記便蓋を取り外して現れる一対のヒンジ部とを有し、
各該ヒンジ部には、該支持部と嵌合する嵌合溝が凹設された規制装置が個別に取り付け可能であり、
各該規制装置は、前記本体の前方左右に設けられた受片に当接して、該便座の揺動端を規制する後縁を有することを特徴とする便座装置。
【請求項２】
各ヒンジ部は各支持部から側方に突出され、各規制装置は各嵌合溝の底面に各該ヒンジ部が嵌挿される嵌挿穴が凹設されていることを特徴とする請求項１記載の便座装置。
【請求項３】
各規制装置の側面は便座の使用者の臀部を載置する部分における後方側の側面と略面一をなすことを特徴とする請求項１又は２記載の便座装置。
【発明の詳細な説明】
【０００１】
【発明の属する技術分野】
本発明は便座装置に関する。
【０００２】
【従来の技術】
従来、図７に示すように、図示しない洋風便器本体に固定される本体９０と、本体９０に対して揺動可能に設けられ、使用者が着座可能な便座９１と、便座９１に対して揺動可能に設けられ、便座９１を隠蔽する便蓋９２とを備えた便座装置が知られている。
【０００３】
この便座装置では、本体９０の前方左右に一対のヒンジ部９３が設けられ、この一対のヒンジ部９３が便座９１及び便蓋９２の図示しない嵌合部に嵌挿される。これにより、便座９１及び便蓋９２が本体９０に対して揺動可能になっている。
【０００４】
この便座装置で男性が小用を足す場合、図８に示すように、便蓋９２及び便座９１が上げられるのが通常である。この際、まず本体９０の前方左右に設けられた受片９４に便蓋９２の後縁が当接し、便蓋９２の揺動端が規制される。そして、この便蓋９２がストッパーとしての役割を果たし、便座９１の揺動端が規制される。こうして、便座９１及び便蓋９２の揺動端が規制されることとなる。
【０００５】
しかしながら、この便座装置を介護用等に使用する場合、図９に示すように、便蓋９２を取り外して使用することも多い。このような場合、一対のヒンジ部９３が外部から見得る状態となるため、便座装置の美観を損ねることとなる。また、便座９１を上げた場合、ストッパーとしての役割を果たす便蓋９２がないため、図１０に示すように、便座９１はその揺動端が規制されることがなく、過剰に後方に揺動してしまう。このため、本体９０は意匠部分で便座９１と干渉し、その意匠部分に傷を生じやすい。
【０００６】
これらを防止すべく、図１１に示す便座ストッパー９５が用いられることがある。この便座ストッパー９５は、弾性のある棒状のバー９５ａと、このバー９５ａの両端で一方向に突出する二つのカバー部９５ｂとからなる。便蓋９２を取り外し、この便座ストッパー９５を用いる場合、便座装置の本体９０に設けられた一対のヒンジ部９３が両カバー部９５ｂの図示しない嵌合部に嵌挿され、本体９０に便座ストッパー９５が固定される。この便座ストッパー９５によれば、一対のヒンジ部９３が両カバー部９５ｂにより覆われて外部から隠され、便座装置の美観を損ねることがなくなる。また、便座９１を上げた場合、バー９５ａが便座９１のストッパーとしての役割を果たすため、図１２に示すように、便座９１はその揺動端が規制されることとなる。このため、便座９１が直接本体９０に干渉しないため、本体９０の意匠部分に傷が生じることをある程度は防止できることとなる。
【０００７】
【発明が解決しようとする課題】
しかし、上記便座ストッパー９５を用いた場合、便座装置の重要な意匠部分である本体９０上に棒状のバー９５ａが固定され、便座装置の外観がすっきりしない。
【０００８】
また、その便座ストッパー装置９５では、本体９０の意匠部分にバー９５ａが位置するため、便座９１を上げることが頻繁であれば、本体９０の意匠部分がバー９５ａから大きな力を頻繁に受けることとなる。これにより、未だ本体９０の意匠部分に傷が生じやすく、便座装置の美観が好適に維持されない。また、本体９０の反作用によりバー９５ａに破損を生じる場合もあり、そうであれば便座９１の揺動端が何ら規制されないこととなってしまう。
【０００９】
さらには、品番が異なる結果として本体９０の形状が異なる場合、本体９０とバー９５ａとの間に隙間を生じる場合がある。この場合には、便座ストッパー９５を共用することができないことから、多種類の便座ストッパー９５を製造せざるを得ず、ひいては生産コストが高騰化することとなる。
【００１０】
本発明は、上記従来の実情に鑑みてなされたものであって、便蓋を取り外した場合であっても、確実に便座の揺動端を規制し、優れた美観を呈し、かつ生産コストの低廉化を実現することができる便座装置を提供することを解決すべき課題としている。
【００１１】
【課題を解決するための手段】
本発明の便座装置は、洋風便器本体に固定される本体と、該本体に対して揺動可能に設けられ、使用者が着座可能な便座と、該便座に対して揺動可能に設けられ、該便座を隠蔽する便蓋とを備えた便座装置において、
前記便座は、使用者の臀部を載置する部分からそれぞれ後方に突出する支持部と、前記便蓋を取り外して現れる一対のヒンジ部とを有し、
各該ヒンジ部には、該支持部と嵌合する嵌合溝が凹設された規制装置が個別に取り付け可能であり、
各該規制装置は、前記本体の前方左右に設けられた受片に当接して、該便座の揺動端を規制する後縁を有することを特徴とする。
【００１２】
本発明の便座装置では、便蓋を取り外した場合であっても、規制装置により確実に便座の揺動端が規制される。ここで、規制装置は、便蓋を取り外して現れる便座の一対のヒンジ部に個別に取り付け可能であるため、便座装置の重要な意匠部分である本体上に従来のような棒状のバーが固定されず、便座装置の外観がすっきりする。特に、片方の規制装置のみであっても便座の揺動端を規制することもできる。そして、規制装置は、本体及び便座の意匠部分以外の部分で便座の揺動端を規制するため、本体及び便座の重要な意匠部分に傷を生じることもなく、便座装置の美観を損ねることがない。また、規制装置は、従来のようなバーを有さないことから、本体の形状が異なる場合であっても、共用しやすく、生産コストの低廉化を実現することができる。
【００１３】
したがって、この便座装置によれば、便蓋を取り外した場合であっても、確実に便座の揺動端を規制し、優れた美観を呈し、かつ生産コストの低廉化を実現することができる。
【００１４】
各規制装置の側面は便座の使用者の臀部を載置する部分における後方側の側面と略面一をなすことが好ましい。これにより、便座装置の外観がよりすっきりしたものとなる。
【００１５】
【発明の実施の形態】
以下、本発明を具体化した実施形態を図面を参照しつつ説明する。
【００１６】
本実施形態の便座装置では、図１及び図２に示すように、便蓋を取り外し、便座９１の揺動端を規制する一対の規制装置１がそれぞれのヒンジ部９３に個別に取り付けられている。なお、図９及び図１０に示す従来の便座装置と同一の構成については同一の符号を用いることとし、その説明を省略する。
【００１７】
便座９１は、図２に示すように、使用者の臀部を載置する部分からそれぞれ後方に突出し、両ヒンジ部９３が両側方に突出される支持部９１ａを有している。各規制装置１には、図３及び図４に示すように、それぞれ支持部９１ａと嵌合する嵌合溝１ａが凹設され、さらに嵌合溝１ａの底面にはヒンジ部９３が嵌挿される嵌挿穴１ｂが凹設されている。
【００１８】
上記のように構成された便座装置では、図１に示すように、各規制装置１を一対のヒンジ部９３に取り付けると、各規制装置１の側面と便座９１の使用者の臀部を載置する部分における後方側の側面とは略面一となる。これにより、便座装置の外観がすっきりしたものとなる。
【００１９】
また、この便座装置では、便座９１を上げると、図６に示すように、本体９０の前方左右に設けられた受片９４に規制装置１の後縁が当接して、確実に便座９１の揺動端が規制される。
【００２０】
さらに、この便座装置では、規制装置１は本体９０及び便座９１の重要な意匠部分以外の部分で便座９１の揺動端を規制するため、本体９０及び便座９１の重要な意匠部分に傷を生じることもなく、便座装置の美観を損ねることがない。
【００２１】
また、この便座装置では、本体９０の形状が異なる場合であっても、規制装置１を共用しやすいため、生産コストの低廉化を実現することができる。
【００２２】
さらに、この便座装置では、一対のヒンジ部９３に規制装置１が個別に取り付け可能であるため、片方の規制装置１のみであっても便座９１の揺動端を規制することができる。
【００２３】
したがって、この便座装置によれば、便蓋を取り外した場合であっても、確実に便座９１の揺動端を規制し、優れた美観を呈し、かつ生産コストの低廉化を実現することができる。
【００２４】
なお、各規制装置１は、一対のヒンジ部９３に対し、圧入、ビス止め、接着等の手段で取り付けるようにもできる。
【００２５】
また、本明細書に開示された技術的思想により、洋風便器本体に固定される本体と、該本体に対して揺動可能に設けられ、使用者が着座可能な便座と、該本体又は該便座に対して揺動可能に設けられ、該便座を隠蔽する便蓋とを備えた便座装置において、前記本体又は前記便座は、前記便蓋を取り外した場合、該本体及び該便座の意匠部分以外の部分で該便座の揺動端を規制する規制手段をもつ便座装置も技術的作用効果を奏する。
【図面の簡単な説明】
【図１】実施形態の便座装置の斜視図である。
【図２】実施形態の便座装置の一部拡大図である。
【図３】実施形態の便座装置に係り、規制装置の側面図である。
【図４】実施形態の便座装置に係り、規制装置のＩＶ−ＩＶ断面図である。
【図５】実施形態の便座装置に係り、便座を下げた状態の側面図である。
【図６】実施形態の便座装置に係り、便座を上げた状態の側面図である。
【図７】従来の便座装置の斜視図である。
【図８】従来の便座装置に係り、便蓋及び便座を上げた状態の側面図である。
【図９】従来の便座装置に係り、便蓋を取り外した状態の斜視図である。
【図１０】従来の便座装置に係り、便座を上げた状態の側面図である。
【図１１】従来の便座装置に係り、便座ストッパーを取り付けた状態の斜視図である。
【図１２】従来の便座装置に係り、便座を上げた状態の側面図である。
【符号の説明】
９０…本体
９１…便座
９２…便蓋
１…規制装置
９３…ヒンジ部
【図１】
0003815549.tif 000002
【図２】
0003815549.tif 000003
【図３】
0003815549.tif 000004
【図４】
0003815549.tif 000005
【図５】
0003815549.tif 000006
【図６】
0003815549.tif 000007
【図７】
0003815549.tif 000008
【図８】
0003815549.tif 000009
【図９】
0003815549.tif 000010
【図１０】
0003815549.tif 000011
【図１１】
0003815549.tif 000012
【図１２】
0003815549.tif 000013